(57)【要約】ハウジング（２）、前記ハウジング（２）に収容されたサウンド再生手段（２０）、及びブームなしに設計されたサウンド受信手段（１９）を有するヒアリング／スピーキング構造（１）であって、サウンド受信手段（１９）がサウンド再生手段（２０）のようにハウジング（２）に収容され、第１のサウンド通路開口部（１６）及び第２のサウンド通路開口部（２５）がハウジング（２）に与えられ、サウンド受信手段（１９）が主方向（２８）及び消失方向（３０）を持つ指向性を有し、消失方向（３０）がサウンド受信手段（１９）からサウンド再生手段（２０）に向って延在する。
2004519938.tif 000002
【特許請求の範囲】
【請求項１】
ハウジングと、前記ハウジングに収容されたサウンド再生手段と、サウンド受信手段とを有し、人の頭に装着するように設計されたヒアリング／スピーキング構造であって、前記ヒアリング／スピーキング構造は前記サウンド受信手段用のブームなしで設計され、前記サウンド受信手段が前記サウンド再生手段のように前記ハウジングに収容され、前記ハウジングが前記サウンド受信手段と協働する目的で、少なくとも一つの第１のサウンド通路開口部と、前記少なくとも一つの第１のサウンド通路開口部から離れたところに与えられた少なくとも一つの第２のサウンド通路開口部とを有し、前記サウンド受信手段が主方向及び消失方向を持つ指向性を有し、前記サウンド受信手段並びに前記少なくとも一つの第１のサウンド通路開口部及び前記少なくとも一つの第２のサウンド通路開口部が、前記サウンド受信手段の指向性の消失方向が前記サウンド再生手段に向って実質的に導かれるように、互いに相対的な位置をとる、ヒアリング／スピーキング構造。
【請求項２】
請求項１記載のヒアリング／スピーキング構造であって、前記ハウジング２は、本質的に立方形状であり、第１の立方形主壁３の領域にタワー様ハウジング部８を備え、前記タワー様ハウジング部８において前記サウンド再生手段が収容されており、前記サウンド受信手段が前記ハウジングの前記タワー様ハウジング部８と第１の側壁との間に位置する領域に配置され、前記少なくとも一つの第１のサウンド通路開口部が前記ハウジングの前記第１の側壁に与えられ、前記少なくとも一つの第２のサウンド通路開口部がタワー様ハウジング部８を備えた前記第１の立方形主壁の反対側に位置する前記第２の立法形主壁に与えられる、ヒアリング／スピーキング構造。
【発明の詳細な説明】
【０００１】
【発明の属する技術分野】
本発明は、ハウジングと、ハウジングに収容されたサウンド再生手段と、サウンド受信手段とを有し、人の頭に装着するように設計されたヒアリング／スピーキング構造に関する。
【０００２】
【従来の技術】
そのようなヒアリング／スピーキング構造は、例えば、形式名称ＨＢＨ−１０でエリクソンにより市場に出され、したがって既知である。既知のヒアリング／スピーキング構造においては、その自由端の領域にサウンド受信手段としてマイクロフォンを有し、その結果、ハウジングに収容され、サウンド再生手段として与えられ、マイクロフォンのノイズ源を構成するスピーカからマイクロフォンが比較的離れて配置される、いわゆるブーム（ｂｏｏｍ）が与えられ、マイクロフォンは、この既知のヒアリング／スピーキング構造が人の耳や良好なサウンドの受信のために適した何かに装着されたときに、人の口にできるだけ近く配置される。しかしながら、ブームの存在は、この既知のヒアリング／スピーキング構造において、ヒアリング／スピーキング構造が耳から比較的離れて位置する重心を有するため、いくつかの使用状況で、例えば人が歩く間にこの既知のヒアリング／スピーキング構造が使用されているときはいつでも、この既知のヒアリング／スピーキング構造が容易に耳からずれてしまい、さらには人の耳から外れてしまい、結果として人が歩いている間に衝撃力がヒアリング／スピーキング構造に作用するという問題となる。さらに、既知のヒアリング／スピーキング構造におけるマイクロフォンが、人の口や鼻に比較的近くに位置される結果、口や鼻により起こる空気流に対して比較的影響され易い。
【０００３】
【発明が解決しようとする課題】
本発明は、上記に示した問題を回避すること及び改良されたヒアリング／スピーキング構造を創造することを目的とする。
【０００４】
【課題を解決するための手段】
この目的を達成するために、発明性のある形態は、本発明に係るヒアリング／スピーキング構造が以下のように規定され得るような、本発明によるヒアリング／スピーキング構造において与えられる。
【０００５】
ハウジングと、このハウジングに収容されたサウンド再生手段と、サウンド受信手段とを有し、人の頭に装着するように設計されたヒアリング／スピーキング構造であって、ヒアリング／スピーキング構造がサウンド受信手段用のブームなしで設計され、サウンド受信手段がサウンド再生手段のようにハウジングに収容され、ハウジングがサウンド受信手段と協働する目的で、少なくとも一つの第１のサウンド通路開口部と、この少なくとも一つの第１のサウンド通路開口部から離れたところに与えられた少なくとも一つの第２のサウンド通路開口部とを有し、サウンド受信手段が主方向及び消失方向を持つ指向性を有し、サウンド受信手段並びに少なくとも一つの第１のサウンド通路開口部及び少なくとも一つの第２のサウンド通路開口部が、サウンド受信手段の指向性の消失方向がサウンド再生手段に向って実質的に導かれるように、互いに相対的な位置をとる。
【０００６】
本発明に係る形態は、本発明に係るヒアリング／スピーキング構造が特定のコンパクトなデザインになり得、サウンド受信手段用のブームなしのデザインが、本発明に係るヒアリング／スピーキングが人の頭に接続する領域にできるだけ近く位置させた重心を実現することを可能にさせる、構造的に簡単で適当な価格の方法で達成される。これは、事実上ヒアリング／スピーキング構造の使用のすべての状況において、すなわち上述したように歩いている間でさえも、本発明に係るヒアリング／スピーキング構造が常に人の頭、特に人の耳に許容できる程度に装着されることを保証する。本発明に係るヒアリング／スピーキングが人の口や鼻により生じる空気流に対して比較的無感応であるように、サウンド受信手段が人の口や鼻から取り去って比較的離して配置されるという利点がある。本発明のヒアリング／スピーキング構造においては、コンパクトな構造的デザインのためにサウンド受信手段の妨害物を構成するサウンド再生手段からのサウンド出力は、指向性を備えたサウンド受信手段がサウンド再生手段に関して消去方向に設置されるので、サウンド受信手段の領域においていかなる妨害効果もない。
【０００７】
サウンド受信手段の指向性は、カーディオイド若しくはスーパーカーディオイド特性、又はハイパーカーディオイド特性により形成し得るか、又は双指向性（ｆｉｇｕｒｅ ｅｉｇｈｔ（８））により形成し得るように、ここでは説明され得る。
【０００８】
本発明に係るヒアリング／スピーキング構造においては、請求項２に記載された形態がさらに与えられるとき、特に有利であることが分かる。そのようなデザインは、人の耳との効果的な協働に関して並びにできるだけ簡単でコンパクトな構造的なデザインにすることに関して特に有利である。
【０００９】
上記及び本発明のさらなる態様は、以下に記述される実施の形態から明らかになり、この実施の形態を参照して説明される。
【００１０】
【発明の実施の形態】
本発明は、図面において図示された実施の形態を参照して以下に記述されるであろうが、本発明はそれに限定されない。
【００１１】
図１は、構造１として以下に示されるであろうヒアリング／スピーキング構造１を示す。この構造１は、人の頭に装着するように設計されている。構造１は、実質的に立方形状を持つハウジング２を有する。ハウジング２は、第１の立方形主壁３及び第２の立方形主壁４、同様に第１の短辺側壁５及び第２の短辺側壁６、並びに第１の長辺側壁７及び第２の長辺側壁（図１において見えない）を有する。ハウジング２は、第１の立方形主壁３の領域にタワー様ハウジング部８を備える。タワー様ハウジング部８には、固定部９が与えられている。固定部９は、タワー様ハウジング部８に関して回転され得るように保持された環状基部１０を有する。弓形体１１が基部１０に連結され、それにより構造１が人の耳に固定され得る。第２の立方形主壁４の領域には、通路１２が与えられ、構造１をＯＮ及びＯＦＦに切り替えるために与えられたキー１３がその通路を通して突出する。
【００１２】
ハウジング２の内部において、構造１の部品を保持するように与えられ及び設計された実質的に板状保持デバイス１４がある。構造１に供給電圧を与えることができるために、プラグ（図１において見えない）が第１の側壁５の通路開口部１６を介して係合させ得るようにして、図示されたソケット１５が保持デバイス１４に連結されている。保持デバイス１４には、さらに再充電可能なバッテリ１７が連結されている。さらに、マイクロフォン１９及びスピーカ２０と協働するために与えられる電気回路１８が保持デバイス１４に接続されている。また、構造１上にサウンド受信手段として与えられるマイクロフォン１９が保持デバイス１４に接続されている。
【００１３】
スピーカ２０がタワー様ハウジング部８に収容され、これによりハウジング２に収容されたサウンド再生手段を形成し、ハウジング部８の端壁２１に与えられた通路開口部２２を通すことにより生成されたサウンドを発し、通路２２を介して出力されたサウンドは、その上、出力サウンドが構造１を装着する人の耳翼に出力される前に、カバーキャップ２３内に与えられた通路２４をさらにまた通過する。
【００１４】
図１から分かるように、構造１は、マイクロフォン１９用のブームなしで設計されている。特に、マイクロフォン１９は、スピーカ２０のように、構造１におけるハウジング２に収容されている。
【００１５】
マイクロフォン１９と協働する目的で、ハウジング２は、既に上述された通路開口部１６により形成され、プラグ（図示せず）を通過させるために役立つ、第１のサウンド通路開口部１６を有する。さらに、ハウジング２は、第１のサウンド通路開口部１６から離して与えられた第２のサウンド通路開口部２５を有する。第２のサウンド通路開口部２５は、この場合において、タワー様ハウジング部８を備えた第１の立方形主壁３の反対側に位置する第２の立方形主壁４に与えられる。
【００１６】
図１のドット−ダッシュ矢印２６により図示されたサウンドパスは、第１のサウンド通路開口部１６とマイクロフォン１９との間で構造１において与えられる。さらに、他のドット−ダッシュ矢印２７により図１において示されるサウンドパスは、マイクロフォン１９と第２のサウンド通路開口部２５との間に与えられる。単一の第１のサウンド通路開口部１６及び単一の第２のサウンド通路開口部２５が与えられ得るだけでなく、複数の第１のサウンド通路開口部１６及び複数の第２のサウンド通路開口部２５が与えられ得ることがここで言及され得る。
【００１７】
図１の構造において、マイクロフォン１９は、例えばマイクロフォン１９のデザインの好適な選択の結果、第１のサウンド通路開口部１６の存在の結果、第２のサウンド通路開口部２５の存在の結果でドット−ダッシュ線２８により図１において図示されるような、指向性、特にスーパーカーディオイド特性を有する。スーパーカーディオイド特性２８は、この場合において使用される主方向２９及び消失方向３０を有する。スーパーカーディオイド特性２８は、また、この場合において使用されていない第２の消失方向を有する。あるいはまた、少なくとも一つの消失方向が使用される２つ以上の消失方向を持つ指向性を有するマイクロフォンを使用することもできることに言及され得る。
【００１８】
図１の構成において、マイクロフォン１９並びに第１のサウンド通路開口部１６及び第２のサウンド通路開口部２５は、マイクロフォン１９並びに第１のサウンド通路開口部１６及び第２のサウンド通路開口部２５が、図１から分かるように、マイクロフォン１９のスーパーカーディオイド特性２８の消失方向３０が実質的にスピーカ２０に向けられるように、互いに関して相対的な位置を取るように与えられる。マイクロフォン１９は、この場合において、ハウジング２のタワー様ハウジング部８と第１の側壁５との間に設置される領域に配置される。第１のサウンド通路開口部１６は、第１の側壁５に与えられ、第２のサウンド通路開口部２５は、第２の立方形主壁４に与えられる。
【００１９】
特にコンパクトな構造的デザインは、上述した構成に基づいて構造１において達成される。すべての部品が構造１におけるハウジング２内に収容されているので、構造１が人の耳に接続された構造１の重心がタワー様ハウジング部８の実質的に隣に位置するように、ハウジングに収容された構造１の部品が配置され及び固定されるような簡単な態様でさらに達成される。このため、構造１での衝撃負荷の際に人の耳に不利な効果を有し得る、事実上不利なてこ比が存在せず、したがって、構造１が人の耳や頭に効果的に及び恒久的に接続することを常に保証する。
【図面の簡単な説明】
【図１】図１は、本発明に係るヒアリング／スピーキング構造の断面を示す。
【国際公開パンフレット】
2004519938.tif 000003
2004519938.tif 000004
2004519938.tif 000005
2004519938.tif 000006
2004519938.tif 000007
2004519938.tif 000008
2004519938.tif 000009
2004519938.tif 000010
【国際調査報告】
2004519938.tif 000011
2004519938.tif 000012